(57)【要約】      （修正有）【課題】インバータの直流リンク電圧を用いて最大電力点を追従することで、出力周波数の脈動によるストレス増加を予防するソーラーポンプシステムにおけるインバータ制御方法を提供する。【解決手段】ソーラーポンプシステムは、太陽光モジュールと、ブーストコンバータと、直流リンクキャパシタと、インバータ部と、を含むインバータと、制御部と、を備える。制御部は、直流リンク電圧が基準レベル以上であり、以前周期で負荷に印加する交流電圧の出力周波数が増加した場合、負荷に印加する交流電圧の出力周波数を第１の傾きに増加させ、直流リンク電圧が基準レベル以上であり、以前周期で負荷に印加する交流電圧の出力周波数が減少した場合には、負荷に印加する交流電圧の出力周波数を第１の傾きより小さい第２の傾きに増加させる。【選択図】図３
2019198211.tif 000002
【特許請求の範囲】
【請求項１】
太陽光モジュールから印加される電力を変換して負荷に印加するシステムのインバータ制御方法において、
インバータの直流リンク電圧を受信するステップ；
直流リンク電圧が基準レベル以上であり、以前周期で前記負荷に印加する交流電圧の出力周波数が増加した場合、前記負荷に印加する交流電圧の出力周波数を第１の傾きに増加させるステップ；及び、
直流リンク電圧が基準レベル以上であり、以前周期で前記負荷に印加する交流電圧の出力周波数が減少した場合には、前記負荷に印加する交流電圧の出力周波数を前記第１の傾きより小さい第２の傾きに増加させるステップを含むインバータ制御方法。
【請求項２】
直流リンク電圧が基準レベル未満であり、以前周期で直流リンク電圧が基準レベル未満である場合、前記負荷に印加する交流電圧の出力周波数を減少させるステップをさらに含む、請求項１に記載のインバータ制御方法。
【請求項３】
直流リンク電圧が基準レベル未満であり、以前周期で直流リンク電圧が基準レベル以上である場合には、該以前周期での出力周波数を貯蔵（貯蔵出力周波数）して、前記負荷に印加する交流電圧の出力周波数を減少させるステップをさらに含む、請求項１に記載のインバータ制御方法。
【請求項４】
前記負荷に印加する交流電圧の出力周波数を前記第２の傾きに増加させた後、出力周波数が前記貯蔵出力周波数より大きい場合、前記負荷に印加する交流電圧の出力周波数を固定するステップをさらに含む、請求項３に記載のインバータ制御方法。
【請求項５】
出力周波数を固定した後、直流リンク電圧が所定時間の間に安定する場合、出力周波数状態をクリアして、前記貯蔵出力周波数をクリアするステップをさらに含む、請求項４に記載のインバータ制御方法。
【請求項６】
直流リンク電圧が安定的であるか否かは、
直流リンク電圧がしきい範囲以内で変化するかによって決定される、請求項５に記載のインバータ制御方法。
【発明の詳細な説明】
【技術分野】
【０００１】
本発明は、インバータ制御方法に関する。
【背景技術】
【０００２】
ソーラーポンプ（ｓｏｌａｒ  ｐｕｍｐ）は、太陽光モジュールから発生するエネルギーを活用して、インバータを介してポンプを駆動させて淡水を生産及び供給する装置である。このようなソーラーポンプシステムは、水道と電気を最も効果的に供給できる装備であって、水道網インフラが足りない地域において食み水、農業用水、海水淡水化等、様々な用途に用いられている。特に、ソーラーポンプシステムは、電力供給が困難である遠距離地域がエネルギーの追加供給なしに地下水を引き上げて供給することで、奥地の水道及び電力難を解決できる最適のシステムと評価されている。インド政府は、潅漑及び食み水の供給のために２０１４年５０，０００個のソーラーポンプの設置を許可しており、現在まで設置を拡大している。
【０００３】
図１は、従来のソーラーポンプシステムの構成図である。
【０００４】
図１に示した従来のソーラーポンプシステムは、太陽光モジュール１００、インバータ２００及び制御部３００で構成される。
【０００５】
このように、太陽光を利用して電力を発生するソーラーポンプシステムにおける重要な制御方法の一つが最大電力追従制御（ｍａｘｉｍｕｍ  ｐｏｗｅｒ  ｐｏｉｎｔ  ｔｒａｃｋｉｎｇ，ＭＰＰＴ）である。太陽光インバータは、常に太陽電池の最大電力の発生地点を追跡するＭＰＰＴ制御によって最大電力を発電する。
【０００６】
従来のＭＰＰＴ制御方式のうち、ヒルクライミング方式は、ＭＰＰＴ制御方法の中で最も基礎的な制御方法である。ヒルクライミング方式は、一定の変位だけデューティ（ｄｕｔｙ）を変化して最大電力点を探すことであって、制御機が簡単かつ単純であるが、日射量が急変するとき、最大電力点の推定が遅いという問題点がある。
【０００７】
従来のＭＰＰＴ制御方式のうち、撹乱及び観測方式は、ＭＰＰＴ制御方法の中で最も一般的なものであって、電圧の増減による電力の変化を測定して最大電力点で動作する方式である。この撹乱及び観測方式は、光量が低い場合、制御特性が悪くなる問題点がある。
【０００８】
また、従来のＭＰＰＴ制御方式のうち、インピーダンスマッチング方式は、負荷のインピーダンスと太陽電池のインピーダンスが同様となる地点で太陽電池の出力が最大になることを利用する方式である。インピーダンスマッチング方式は、追従性能には優れているが、多少複雑であり、複数の演算を要する問題点がある。
【０００９】
このように、従来の多様なソーラーポンプスシステムのＭＰＰＴ制御方法を利用する図１のようなソーラーポンプシステムにおいて、制御部３００は、水ポンプ４００に印加される電圧を制御するために、インバータ２００のＰＷＭ出力波形の生成及び低電圧／過電圧を検出するための情報として直流リンク電圧及びインバータ部５２の出力電流を活用した。すなわち、電圧センサー２１０がインバータ２００の直流リンク電圧を制御部３００に提供し、電流センサー２２０がインバータ２００の出力電流を制御部３００に提供して、これからＰＷＭ出力波形を生成した。
【００１０】
しかし、直流リンク電圧の急激な増加は、過電圧問題を引き起こし、直流リンク電圧の急激な低下は、低電圧問題を引き起こして、低電圧及び高電圧状態では、水ポンプ４００を運転することができなくなる。水ポンプ４００の頻繁な停止又は運転状態の変化は、周波数の急激な変化が頻繁である場合と同様、水ポンプ４００の故障の原因となり、多くのエネルギー損失が発生し得る。
【００１１】
また、従来の場合、インバータ２００の入力電力ではなく、インバータ２００のＰＷＭ方式の可変周波数の出力を検出するため、出力電力の計算に正確度が低下する問題点があり、出力周波数の脈動によって水ポンプ４００のストレスが増加する問題点があった。
【００１２】
このように、制御部３００は、インバータ２００の各ノードの電圧及び出力電流を検出してＭＰＰＴ制御を行うため、電圧と電流を正確に検出しなければならず、要求される正確度が高いほどシステムに配置されるセンサー価格も高くなる問題点がある。
【発明の概要】
【発明が解決しようとする課題】
【００１３】
本発明が解決しようとする技術的課題は、インバータの直流リンク電圧を用いて最大電力点を追従することで、出力周波数の脈動によるストレス増加を予防するインバータ制御方法を提供することである。
【課題を解決しようとする手段】
【００１４】
上記のような技術的課題を解決するために、太陽光モジュールから印加される電力を変換して負荷に印加するシステムのインバータ制御方法において、本発明の一実施形態のインバータ制御方法は、前記インバータの直流リンク電圧を受信するステップ；直流リンク電圧が基準レベル以上であり、以前周期で前記負荷に印加する交流電圧の出力周波数が増加した場合、前記負荷に印加する交流電圧の出力周波数を第１の傾きに増加させるステップ；及び直流リンク電圧が基準レベル以上であり、以前周期で前記負荷に印加する交流電圧の出力周波数が減少した場合には、前記負荷に印加する交流電圧の出力周波数を前記第１の傾きより小さい第２の傾きに増加させるステップを含んでいてもよい。
【００１５】
本発明の一実施形態のインバータ制御方法は、直流リンク電圧が基準レベル未満であり、以前周期で直流リンク電圧が基準レベル未満である場合、前記負荷に印加する交流電圧の出力周波数を減少させるステップをさらに含んでいてもよい。
【００１６】
本発明の一実施形態のインバータ制御方法は、直流リンク電圧が基準レベル未満であり、以前周期で直流リンク電圧が基準レベル以上である場合には、該周期での出力周波数を貯蔵（貯蔵出力周波数）して、前記負荷に印加する交流電圧の出力周波数を減少させるステップをさらに含んでいてもよい。
【００１７】
本発明の一実施形態のインバータ制御方法は、前記負荷に印加する交流電圧の出力周波数を前記第２の傾きに増加させた後、出力周波数が前記貯蔵出力周波数より大きい場合、前記負荷に印加する交流電圧の出力周波数を固定するステップをさらに含んでいてもよい。
【００１８】
本発明の一実施形態のインバータ制御方法は、出力周波数を固定した後、直流リンク電圧が所定時間の間に安定する場合、出力周波数状態をクリアして、前記貯蔵出力周波数をクリアするステップをさらに含んでいてもよい。
【００１９】
本発明の一実施形態において、直流リンク電圧が安定するか否かは、直流リンク電圧がしきい範囲以内で変化するかによって決定することができる。
【発明の効果】
【００２０】
上記のような本発明は、センサーの追加なしに直流リンク電圧の変化を感知して、太陽光モジュールの発電エネルギーを最大に活用するようにする効果がある。
【図面の簡単な説明】
【００２１】
【図１】従来のソーラーポンプシステムの構成図である。
【図２】本発明の一実施形態が適用されるソーラーポンプシステムを概略的に説明するための構成図である。
【図３】本発明の一実施形態のインバータ制御方法を説明するためのフロー図である。
【発明を実施するための形態】
【００２２】
本発明の構成及び効果を充分に理解するために、添付した図面を参照して本発明の好ましい実施形態を説明する。しかし、本発明は、以下に開示する実施形態に限定されるものではなく、様々な形態に具現することができ、多様な変更を加えることができる。但し、本実施形態に対する説明は、本発明の開示を完全にして、本発明が属する技術分野の通常の知識を有する者に発明の範疇を完全に知らせるために提供されるものである。
【００２３】
以下では、図２及び図３を参照して、本発明の一実施形態によるインバータ制御方法を説明する。
【００２４】
図２は、本発明の一実施形態が適用されるソーラーポンプシステムを概略的に説明するための構成図である。
【００２５】
図２に示したように、本発明の一実施形態が適用されるソーラーポンプシステムは、太陽光モジュール２、電磁両立性（Ｅｌｅｃｔｒｏｍａｇｎｅｔｉｃ  Ｃｏｍｐａｔｉｂｉｌｉｔｙ，ＥＭＣ）フィルター３、ヒューズ（ｆｕｓｅ）４、インバータ５、制御部１、水ポンプ６及び水タンク７を含んでいてもよい。但し、本発明の一実施形態では、インバータ５の負荷に水ポンプ６が適用されることを例に挙げて説明しているが、本発明がこれに限定されるものではなく、太陽光モジュール２によって発電するエネルギーをインバータ５を介して伝達される様々な負荷を適用可能であると言える。
【００２６】
また、インバータ５は、ブーストコンバータ５０、直流リンクキャパシタ５１、インバータ部５２及び電圧センサー５３を含んでいてもよい。
【００２７】
太陽光モジュール２は、太陽電池を縦横に連結して結合した形態であり、個別太陽電池で生産された電気が同時にモジュールに集まって電力を生産することができる。
【００２８】
ＥＭＣフィルター３は、太陽光モジュール２から印加される電力で発生する電磁波干渉を最小限にして、このような電磁波干渉による被害を防止することができる。ＥＭＣフィルター３は、ヒューズ４０インバータ５に過度な電流が流れる場合、これを遮断することができる。但し、ＥＭＣフィルター３及びヒューズ４は、例示的なものであって、太陽光モジュール２から流入する電力に発生するノイズを除去するための多様な構成要素が本発明の一実施形態のソーラーポンプシステムに用いられてもよい。
【００２９】
このように、ＥＭＣフィルター３及びヒューズ４によってノイズが除去された直流電圧は、インバータ５に印加されてもよく、インバータ５に印加された直流電圧は、ブーストコンバータ５０によって昇圧して、直流リンクキャパシタ５１に貯蔵されてもよい。
【００３０】
本発明の一実施形態の制御部１は、電圧センサー５３によって検出される直流リンク電圧を参照して、インバータ５のインバータ部５２の複数のスイッチング素子のスイッチングを制御するスイッチング信号をインバータ部５２に提供することができる。すなわち、制御部１の制御によってインバータ５のインバータ部５２の出力周波数が決定されてもよいが、これについては、追って詳説する。
【００３１】
インバータ５の直流リンク電圧の変化は、日射量によって変動され、直流リンク電圧が十分である場合、電圧変化量が少なくなり、直流リンク電圧が足りない場合、電圧変化量が大きくなり得る。
【００３２】
インバータ５のインバータ部５２から出力される交流電圧によって水ポンプ６が駆動され、水ポンプ６によって引き上げられた水は、水タンク７に貯蔵されてもよい。水タンク７に移された水は、飲み水、工業用水、農業用水、家畜用水等に用いることができる。
【００３３】
従来の場合、インバータ出力電流を用いて最大電力点を追従することで、急激な出力周波数の脈動によりシステムのストレスが増加する原因となったが、本発明の一実施形態では、センサーの追加を要することなく、インバータの直流リンク電圧のみを用いて最大電力を追従することで、出力周波数の脈動によるシステムのストレスの増加を予防することができる。
【００３４】
すなわち、本発明の一実施形態の制御部１は、直流リンク電圧が所定の基準レベル以上である場合、インバータ２の出力周波数を上昇させる。また、制御部１は、太陽光モジュール１の発電エネルギーに比べて出力周波数が高くて、直流リンク電圧が基準レベルより小くなる場合、さらに出力周波数を減少させて、直流リンク電圧が減少することを防止することができる。
【００３５】
また、制御部１は、出力周波数を減少させた後に直流リンク電圧がさらに十分となった場合も、出力周波数を直ぐに上昇させないで、直流リンク電圧が不十分となる時点の出力周波数まで安定して上昇させた後、直流リンク電圧の安定度を判断する。そして、制御部１は、直流リンク電圧が安定していると判断された場合、正常な加速運転を実施することになる。制御部１の詳細な動作について図面をもって説明する。
【００３６】
図３は、本発明の一実施形態のインバータ制御方法を説明するためのフロー図である。
【００３７】
図面に示したように、本発明の一実施形態のシステムにおいて、制御部１は、直流リンク電圧を電圧センサー５３から周期的に受信することができ（Ｓ４１）、受信された直流リンク電圧が基準レベルより大きいか同様であるが、あるいは小さいかを確認することができる（Ｓ４２）。
【００３８】
Ｓ４２の判断結果、制御部１は、該周期での直流リンク電圧が基準レベルより小さい場合、以前周期での直流リンク電圧が基準レベルより大きいか同様であるか、あるいは小さいかを再確認することができる（Ｓ４３）。
【００３９】
Ｓ４３の判断結果、制御部１は、以前周期での直流リンク電圧が基準レベルより大きいか同様である場合、該周期での出力周波数を第１の出力周波数として貯蔵して（Ｓ４４）、出力周波数を減少させた後（Ｓ４５）、リターンすることができる。すなわち、制御部１は、該周期で初めて直流リンク電圧が減少して基準レベルより小くなった場合には、該周期での出力周波数を第１の出力周波数として貯蔵して（Ｓ４４）、出力周波数を減少させた後（Ｓ４５）、リターンすることができる。
【００４０】
出力周波数を減少させるということは、設定された減少傾きに相当する量を不連続的に（ｄｉｓｃｒｅｔｅ）減少させることもでき、又は連続的に（ｃｏｕｎｔｉｎｕｏｕｓ）減少させることもできることを意味する。すなわち、制御部１は、設定によって、所定時間連続して設定された傾きに応じて出力周波数を減少させることもでき、又は、以前周期での出力周波数に設定された傾きに相当する不連続値を減少させて、出力周波数を減少させることもできる。
【００４１】
しかし、Ｓ４３の判断結果、制御部１は、以前周期での直流リンク電圧が基準レベルより小さい場合、出力周波数を減少させるＳ４５に進んでもよい。
【００４２】
すなわち、制御部１は、該周期で初めて直流リンク電圧が基準レベルより小くなった場合でなければ、出力周波数を減少させるＳ４５に進んでもよい。
【００４３】
制御部１は、インバータ５のインバータ部５２の複数のスイッチング素子のゲートにＰＷＭ信号を転送して、スイッチング素子のオン／オフを制御することで、インバータ部５２は、交流電力を出力することになる。すなわち、制御部１が出力周波数を減少させると、インバータ部５２が合成する交流電力の出力周波数が減少し、インバータ部５２から出力される交流電力の出力周波数が減少して、水ポンプ６の駆動速度が遅くなる。
【００４４】
一方、Ｓ４２の判断結果、該周期での直流リンク電圧が基準レベルより大きいか同様である場合、制御部１は、以前周期で出力周波数が減少したか否かを確認することができる（Ｓ４６）。
【００４５】
Ｓ４６の判断結果、以前周期で出力周波数が減少していない場合、制御部１は、出力周波数を第１の傾きに相当する周波数だけ増加させた後（Ｓ４７）、リターンすることができる。すなわち、制御部１は、直流リンク電圧が以前周期でも基準レベルより大きかった場合には、出力周波数を第１の傾きに相当する周波数だけ増加させた後（Ｓ４７）、リターンすることができる。
【００４６】
出力周波数を増加させるということは、インバータ部５２のスイッチング素子が合成する交流電力の出力周波数が増加して、水ポンプ６の駆動速度が早くなることを意味する。
【００４７】
また、出力周波数を第１の傾きに増加させるということは、第１の傾きに相当する量を不連続的に増加させることもでき、又は連続的に増加させることもできることを意味する。すなわち、設定によって、所定時間連続して第１の傾きによって出力周波数を増加させることもでき、又は、以前周期での出力周波数に第１の傾きに相当する不連続値を増加させて、出力周波数を増加させることもできる。
【００４８】
しかし、Ｓ４６の判断結果、以前周期で出力周波数が減少した場合、すなわち、直流リンク電圧が不十分であった後にさらに十分となった場合には、出力周波数をＳ４７の第１の傾きより小さい第２の傾きに増加させることができる（Ｓ４８）。
【００４９】
その後、制御部１は、第２の傾きに増加させた出力周波数がＳ４４で貯蔵した第１の出力周波数より大きいか同様であるかを確認して（Ｓ４９）、出力周波数が第１の出力周波数より大きいか同様である場合には、出力周波数を固定する（Ｓ５０）。仮に出力周波数が第１の出力周波数より小さい場合には、リターンする。
【００５０】
出力周波数を固定した後、制御部１は、所定時間の間に直流リンク電圧が安定的であるか否かを判定することができる（Ｓ５１）。
【００５１】
直流リンク電圧が安定的であるか否かの判断は、直流リンク電圧が変化する大きさのしきい範囲を決定して、直流リンク電圧の変化が所定時間の間にしきい範囲以上に変化する場合、安定的ではないと判断してもよい。
【００５２】
一方、しきい範囲以内で変化する場合には、安定的であると判断してもよい。このような直流リンク電圧の変化しきい範囲は、設定によって、制御部１が予め貯蔵していてもよい。第１の出力周波数の貯蔵及びしきい範囲の貯蔵のために、制御部１にメモリーがさらに含まれていてもよい。
【００５３】
その後、Ｓ５１の判断結果、直流リンク電圧が所定時間の間に安定的である場合、制御部１は、状態をクリアすることができる。すなわち、出力周波数の減少状態をクリアすることができ、貯蔵された第１の出力周波数をクリアすることができる。
【００５４】
このように、本発明の一実施形態のインバータ制御方法によれば、直流リンク電圧の不足により、出力周波数を減少させた後に直流リンク電圧がさらに十分となった場合、出力周波数を直ぐに増加させないで、直流リンク電圧が足りない時点の出力周波数（第１の出力周波数）まで安定して上昇（傾きが小さい）させる。そして、直流リンク電圧の安定度を所定時間の間に判断して、この安定度を判断した後、正常な加速運転（傾きが大きい）を実施することになる。
【００５５】
本発明の一実施形態において、水ポンプ６の周波数変化が頻繁である場合、故障の原因となるため、直流リンク電圧が十分状態（基準レベル以上）である場合には、出力周波数を上昇させる。一方、直流リンク電圧が不十分状態（基準レベル未満）である場合には、出力周波数を減少させて、直流リンク電圧がこれ以上減少しないようにして、低電圧問題が引き起こさない状態で、太陽光モジュール２が発電するエネルギーを最大に利用するようにすることができる。
【００５６】
このとき、気象状況又は照度によって変動する直流リンク電圧によって発生し得る出力周波数の変動を防止するために、直流リンク電圧が不十分状態から十分状態に変換される場合、出力周波数を十分状態でより小さい傾きに増加させることができる。
【００５７】
また、十分状態から不十分状態に変換する場合の該出力周波数を貯蔵して、小さい傾きに増加させた出力周波数が貯蔵された出力周波数より大きい場合、出力周波数を固定して、直流リンク電圧の安定度を判断し、直流リンク電圧が安定的であると判定される場合、さらに出力周波数を増加させることができる。
【００５８】
直流リンク電圧の急激な増加は、過電圧を引き起こして、直流リンク電圧の急激な低下は、低電圧を引き起こし、過電圧又は低電圧状態では、水ポンプ６の運転が不可能である。また、ポンプ６の頻繁な運転／停止状態の変化は、周波数変化が頻繁である場合と同様、ポンプ６の故障の原因となり、これによってエネルギー損失が多くなる。
【００５９】
従来には、水ポンプ６を制御するためのインバータＰＭＷ出力波形の生成及び低電圧／高電圧を検出するための情報として直流リンク電圧を活用したが、本発明の一実施形態では、直流リンク電圧の増加及び減少を継続して確認し、日射量によって直流リンク電圧の急激な変化を防止するために出力周波数を変化するようにした。
【００６０】
このような本発明によれば、センサーの追加なしに直流リンク電圧の変化を感知して、太陽光モジュールの発電エネルギーを最大に活用することができる。
【００６１】
以上では、本発明による実施形態を説明したが、これは、例示的なものに過ぎず、該分野で通常の知識を有する者であれば、これより多様な変形及び均等な範囲の実施形態が可能である点を理解することができる。従って、本発明の真の技術的な保護範囲は、次の請求範囲によって定めるべきである。
【図１】
2019198211.tif 000003
【図２】
2019198211.tif 000004
【図３】
2019198211.tif 000005